(57)【要約】【課題】長期間に亘って感度の良いクリック感が得られ、また、操作ツマミが操作部から脱落するのを防止又は効果的に抑制できる記録及び／又は再生装置を提供する。【解決手段】記録媒体の再生を行う再生部と、再生部の動作の切換操作を行う第１の操作部と、を備えた記録及び／又は再生装置に関する。第１の操作部５は、第１の位置と第２の位置に移動可能な操作ツマミ３５と、その操作ツマミ３５の移動時にクリック感を生じさせるクリック感発生機構３８を有し、クリック感発生機構３８は、第１の位置及び第２の位置にそれぞれ対応して設けられた第１の凹部８７及び第２の凹部８８と、第１の凹部８７と第２の凹部８８との間を移動する鋼球９０と、鋼球９０を第１の凹部８７又は第２の凹部８８に付勢するゴム状弾性体９２と、ゴム状弾性体９２及び鋼球９０を保持する筐体９１を設ける。【選択図】 図９
2006134890.tif 000002
【特許請求の範囲】
【請求項１】
記録媒体の記録及び／又は再生を行う記録及び／又は再生部と、
前記記録及び／又は再生部の動作の切換操作を行う第１の操作部と、を備え、
前記第１の操作部は、第１の位置と第２の位置に移動可能な操作ツマミと、前記操作ツマミの移動時にクリック感を生じさせるクリック感発生機構を有し、
前記クリック感発生機構は、前記第１の位置及び第２の位置にそれぞれ対応して設けられた第１の凹部及び第２の凹部と、前記第１の凹部と第２の凹部との間を移動する鋼球と、前記鋼球を前記第１の凹部又は第２の凹部に付勢する弾性体と、前記弾性体及び前記鋼球を保持する筐体を設けてなることを特徴とする記録及び／又は再生装置。
【請求項２】
前記操作ツマミは、前記記録及び／又は再生部が収納されたケーシングに対して回動可能に設けられていると共に、前記回動の軸心線に沿って直線的に移動され、前記ケーシング側の前記第１の位置と前記ケーシングから離間した側の前記第２の位置とに選択的に切換可能であることを特徴とする請求項１記載の記録及び／又は再生装置。
【請求項３】
前記第１の操作部の近傍には、操作されることによって前記記録及び／又は再生部に対する電源の供給をオン・オフ切り換える第２の操作部を設けたことを特徴とする請求項１記載の記録及び／又は再生装置。
【請求項４】
前記第１の操作部は、前記第１の位置にあるときには前記記録及び／又は再生部を第１の動作モードとし、前記第２の位置にあるときには前記記録及び／又は再生部を第２の動作モードとすることを特徴とする請求項１記載の記録及び／又は再生装置。
【請求項５】
前記クリック感発生機構の前記筐体には前記鋼球の一部が露出される開口窓を設け、前記開口窓から露出された前記鋼球の露出部を前記第１の凹部及び第２の凹部に選択的に係合させるようにしたことを特徴とする請求項１記載の記録及び／又は再生装置。
【請求項６】
前記操作ツマミには、前記第１の位置及び第２の位置において回動されることにより前記第１の動作モード又は第２の動作モードで前記記録及び／又は再生部の動作の切換操作を行う操作片を有する回動部材が弾性片によって固定されると共に、前記弾性片の撓みを阻止して当該操作ツマミが前記ケーシングから脱落するのを防止する規制部を当該ケーシングに設けたことを特徴とする請求項１記載の記録及び／又は再生装置。
【発明の詳細な説明】
【技術分野】
【０００１】
本発明は、記録媒体の記録及び／又は再生を行う記録及び／又は再生装置に関し、特に、記録部又は再生部の動作の切り換えを１つの操作部で行うことができるようにした記録及び／又は再生装置に関するものである。
【背景技術】
【０００２】
従来の、この種の記録及び／又は再生装置としては、例えば、特許文献１に記載されているようなものがある。この特許文献１には、データの切換操作と音量調節操作とを１つの操作部で行うことができる操作装置及びこの操作装置を用いる再生装置に関するものが記載されている。
【０００３】
この特許文献１に記載された再生装置は、記録媒体の再生を行う再生部と、上記再生部の動作の切換操作を行う切換操作部と、上記切換操作部での操作に応じて上記再生部を制御する制御部とを備え、上記切換制御部は、ケース本体と、上記ケース本体に対して第１の位置と第２の位置に移動し、それぞれの位置で２方向に操作可能な操作部とを有し、上記制御部は、上記操作部が上記第１の位置にあるときに操作されることによって上記記録媒体に記録されたデータを選択し、上記操作部が上記第２の位置にあるときに操作されることによって再生されるデータの音量を調節する、ことを特徴としている。
【特許文献１】特開２００２−９３１４２号公報（第２頁、図１６）
【０００４】
しかしながら、上述した先行技術に係る再生装置では、第１の操作部に、第１の位置と第２の位置とに亘って移動するときにクリック感を発生させるための機構が設けられていたが、そのクリック感を長期間に亘って感度良く維持することが困難であるという課題があった。
【０００５】
即ち、先行技術に係る再生装置のクリック感発生機構は、取付部材の基体部に設けられたクリック感付与板に形成された第１及び第２の係合凹部と、プリント配線基板に設けられたフレームに形成された球状体とから構成されている。この球状体が、略円弧状の第１及び第２の係合凹部間の突出部を乗り越えるときの抵抗力によってクリック感を発生させる構成となっており、比較的硬度の大きな球状体と突出部が直接擦れ合うことから、球状体の移動によって当該球状体又は突出部が磨耗してしまい、長期間の使用によってクリック感が劣化するという不十分な点があった。
【０００６】
更に、先行技術に係る再生装置では、第１の位置及び第２の位置において回動されることにより第１の動作モード又は第２の動作モードで再生部の動作の切換操作を行う操作片を有する回動部材を、弾性片によって操作ツマミに固定する構成となっていたため、長期間の使用によって弾性片の弾性が劣化して撓み易くなり、操作ツマミが第１の操作部から脱落し易いという課題もあった。
【発明の開示】
【発明が解決しようとする課題】
【０００７】
本発明は、このような先行技術の課題を解決するためになされたものであり、筐体内に保持された鋼球を弾性体で付勢して第１の凹部又は第２の凹部に弾性的に押圧することにより、長期間に亘って感度の良いクリック感が得られ、また、操作ツマミが操作部から脱落するのを防止又は効果的に抑制できる記録及び／又は再生装置を提供することを目的としている。
【課題を解決するための手段】
【０００８】
前記課題を解決し、前記目的を達成するため、本出願の請求項１記載の記録及び／又は再生装置は、記録媒体の記録及び／又は再生を行う記録及び／又は再生部と、その記録及び／又は再生部の動作の切換操作を行う第１の操作部と、を備え、第１の操作部は、第１の位置と第２の位置に移動可能な操作ツマミと、その操作ツマミの移動時にクリック感を生じさせるクリック感発生機構を有し、クリック感発生機構は、第１の位置及び第２の位置にそれぞれ対応して設けられた第１の凹部及び第２の凹部と、第１の凹部と第２の凹部との間を移動する鋼球と、その鋼球を第１の凹部又は第２の凹部に付勢する弾性体と、その弾性体及び鋼球を保持する筐体を設けてなることを特徴としている。
【０００９】
本出願の請求項２記載の記録及び／又は再生装置は、操作ツマミは、記録及び／又は再生部が収納されたケーシングに対して回動可能に設けられていると共に、回動の軸心線に沿って直線的に移動され、ケーシング側の第１の位置とケーシングから離間した側の第２の位置とに選択的に切換可能であることを特徴としている。
【００１０】
本出願の請求項３記載の記録及び／又は再生装置は、第１の操作部の近傍には、操作されることによって記録及び／又は再生部に対する電源の供給をオン・オフ切り換える第２の操作部を設けたことを特徴としている。
【００１１】
本出願の請求項４記載の記録及び／又は再生装置は、第１の操作部は、第１の位置にあるときには記録及び／又は再生部を第１の動作モードとし、第２の位置にあるときには記録及び／又は再生部を第２の動作モードとすることを特徴としている。
【００１２】
本出願の請求項５記載の記録及び／又は再生装置は、クリック感発生機構の筐体には鋼球の一部が露出される開口窓を設け、その開口窓から露出された鋼球の露出部を第１の凹部及び第２の凹部に選択的に係合させるようにしたことを特徴としている。
【００１３】
本出願の請求項６記載の記録及び／又は再生装置は、操作ツマミには、第１の位置及び第２の位置において回動されることにより第１の動作モード又は第２の動作モードで記録及び／又は再生部の動作の切換操作を行う操作片を有する回動部材が弾性片によって固定されると共に、弾性片の撓みを阻止する規制部をケーシングに設けたことを特徴としている。
【発明の効果】
【００１４】
本出願の請求項１記載の記録及び／又は再生装置によれば、第１の凹部及び第２の凹部と鋼球と弾性体と筐体とからなるクリック感発生機構を設け、筐体内に保持された鋼球を弾性体で付勢して、その鋼球を第１の凹部又は第２の凹部に選択的に係合させる構成としたため、第１の操作部において長期間に亘って感度の良いクリック感を発生させることができるという効果が得られる。
【００１５】
本出願の請求項２記載の記録及び／又は再生装置によれば、ケーシングに対して操作ツマミを、軸心線方向に直線的に移動する構成としたため、第１の位置と第２の位置を選択することができ、また、軸心線を中心として回動することによって再生部の動作の切り換えを行うことができる。
【００１６】
本出願の請求項３記載の記録及び／又は再生装置によれば、第２の操作部を操作することによって記録及び／又は再生部の動作をオン・オフさせることができ、関連した複数の操作部を１箇所に集めて操作性の向上を図ることができる。
【００１７】
本出願の請求項４記載の記録及び／又は再生装置によれば、第１の操作部を第１の位置とすることによって第１の動作モードを選択し、第１の操作部を第２の位置とすることによって第２の動作モードを選択することができ、この種の記録及び／又は再生装置における操作性の向上を図ることができる。
【００１８】
本出願の請求項５記載の記録及び／又は再生装置によれば、第１の凹部又は第２の凹部に対して鋼球を弾性体で付勢する構成としたため、長期間に亘って感度良いクリック感を発生させることができる。
【００１９】
また、本出願の請求項６記載の記録及び／又は再生装置によれば、回動部材を弾性片によって操作ツマミに固定すると共に、その弾性片の撓みをケーシング側の規制部で阻止する構成としたため、操作ツマミがケーシング側の部材から脱落するのを防止することができる。
【発明を実施するための最良の形態】
【００２０】
第１の凹部及び第２の凹部と鋼球と弾性体と筐体を設けてクリック感発生機構を構成し、筐体内に保持された鋼球を弾性体で付勢して、その鋼球を第１の凹部又は第２の凹部に選択的に係合させることにより、長期間に亘って感度の良いクリック感を発生させることができる記録及び／又は再生装置を、簡単な構成によって実現した。
【００２１】
以下、本発明の実施の例を、添付図面を参照して説明する。図１〜図１４は、本発明の実施の例を示すものである。即ち、図１は本発明の記録及び／又は再生装置の一実施例を示す斜視図、図２は同正面図、図３は同右側面図、図４は同平面図、図５は同分解斜視図、図６は図５の要部を拡大して示す説明図、図７は図６に示す固定部材、操作ツマミ及び操作釦を逆側から見た斜視図、図８は同縦断面図、図９は操作部の縦断面図、図１０は第１の操作部が第１の位置にある状態を示す説明図、図１１は図９の操作部を別の角度から見た説明図、図１２は第１の操作部が第２の位置にある状態を示す説明図、図１３は図１２の操作部を別の角度から見た説明図、図１４は第１の操作部の第１の位置と第２の位置の説明図である。
【００２２】
まず、記録及び／又は再生装置について説明する。図１〜図１４に示す電子機器は、記録媒体を外付け記憶装置として用いることができる携帯型オーディオプレーヤである。この携帯型オーディオプレーヤ１は、内蔵された記憶装置に音楽やその他の情報を記録し、その記録された音楽やその他の情報を屋外やその他任意の場所で手軽に聞くことができるようにしたもので、本発明の記録及び／又は再生装置の実施の例を示すものである。
【００２３】
この携帯型オーディオプレーヤ１は、内蔵されたメインの記憶媒体を有する情報記憶部と、この情報記憶部の再生を行う記録及び／又は再生部である再生部と、この再生部の動作の切換操作を行う第１の操作部と、再生部のオン・オフの切換操作を行う第２の操作部と、第１の操作部及び第２の操作部での操作に応じて再生部を制御する制御部等を備えて構成されている。
【００２４】
図５に示すように、携帯型オーディオプレーヤ１は、前記情報記憶部と再生部と制御部等が設けられた基板アセンブリ２と、内蔵される電源装置３と、これら基板アセンブリ２及び電源装置３等が収納されるケーシング４と、このケーシング４に取り付けられる第１の操作部５及び第２の操作部６と、イヤホーンのプラグ７が接続されるプラグ接続部８と、ホールドバンパー９等によって構成されている。
【００２５】
基板アセンブリ２は、４面を囲うよう枠状に形成されたシャーシ１１と、このシャーシ１１の内部に保持された複数枚の配線基板１２と、これら配線基板１２に実装されたマイクロコンピュータ、ＲＯＭ，ＲＡＭ等の内蔵記憶装置、入出力装置その他の電子部品と、外部の電子機器と接続するための雌側コネクタ１３等から構成されている。シャーシ１１の内側には、電子部品が実装された各配線基板１２間に適当な隙間を設定して配置することにより電源装置３を収納するための電源収納部と、着脱自在に装着される外部記憶装置を収納するための記憶装置収納部とが設けられている。
【００２６】
電源装置３は、シャーシ１１内の電源収納部に対して着脱可能に収納できる形状とされていて、この実施例では薄い直方体とされている。この電源装置３としては、例えば、充電式のニッケル水素電池が好適であるが、他の二次電池を使用できることは勿論のこと、一次電池を用いることもできる。
【００２７】
ケーシング４は、基板アセンブリ２が着脱可能に収納される下部ケース１５と、この下部ケース１５の上面に開口された開口部を閉じる上部ケース１６とから構成されている。下部ケース１５及び上部ケース１６は絞り加工によって成形されていて、特に下部ケース１５は、横方向及び奥行き方向の寸法よりも高さ方向の寸法を十分に長くした、いわゆる深絞りにより成形されている。
【００２８】
下部ケース１５及び上部ケース１６の材質としては、チタン合金が好適である。しかしながら、ステンレス鋼その他の金属を用いることができることは勿論のこと、金属以外のエンジニアリングプラスチックその他の材料を用いることもできる。このケーシング４は人の手に触れる機会が多いため、その材質としてチタン合金を用いることにより、一般的な金属が接触することによる皮膚の炎症等を防止することができ、人に優しい電子機器を提供することができる。
【００２９】
下部ケース１５は、断面形状が略Ｕ字状をなす上面が開口された筐体からなり、横方向の寸法は同一であるが、円弧状に形成された底部の奥行き寸法よりも上面開口部の奥行き寸法を少々長くして、全体として楔のような形状に形成されている。この下部ケース１５の底部には、斜め下方に開口された記録媒体挿入口１７が設けられている。更に、下部ケース１５の一方の側面部には、基板アセンブリ２に設けられた雌側コネクタ１３が内側に対向されるコネクタ用開口部１５ａが設けられ、その開口部１５ａには格子窓１８が装着されている。また、下部ケース１５の他方の側面部には、イジェクト釦用開口部１５ｂが設けられ、その開口部１５ｂにはイジェクト釦２２が取り付けられている。
【００３０】
イジェクト釦２２は、記録媒体挿入口１７を閉じるシャッタ２０を開放させて外部記憶装置の取り出しを可能とするためのものである。このイジェクト釦２２は、開口部１５ｂに装着される釦ホルダ２３と、この釦ホルダ２３に押圧自在に保持された釦本体２４と、この釦本体２４を常時外側に付勢するゴム等の弾性体２５と、釦ホルダ２３と下部ケース１５の間をシールするシール部材２６とから構成されている。
【００３１】
シャッタ２０は、下部ケース１５の記録媒体挿入口１７の形状に見合う形状とされていて、その外面は、記録媒体挿入口１７を閉じた状態において下部ケース１５の外面と同一面になるよう曲面とされている。このシャッタ２０は、取付部材２８に回動自在に支持されている。シャッタ２０と取付部材２８との間には捩りコイルバネ２９が介在されており、この捩りコイルバネ２９のバネ力によってシャッタ２０が記録媒体挿入口１７を開放する方向に常時付勢されている。このシャッタ２０は、記録媒体挿入口１７を閉じた状態において前記イジェクト釦２２によってロックされ、これによりシャッタ２０が、記録媒体挿入口１７を閉じた状態に保持される。この状態から釦本体２４を押圧操作することによってロックが解除され、捩りコイルバネ２９のバネ力でシャッタ２０が回動されて記録媒体挿入口１７が開かれる。
【００３２】
シャッタ２０によって開閉される記録媒体挿入口１７から出し入れされる記録媒体としては、例えば、「マジックゲート・メモリースティック・デュオ（商標）」と言われるＩＣ記録メディア３１を適用することができる。このＩＣ記録メディア３１は、従来の「メモリースティック（商標）」に著作権保護技術「マジックゲート」を搭載したもので、「マジックゲート」に対応したＡＶ機器に用いることにより、画像データや音楽・音声データを記録したり、パーソナルコンピュータでデータを記録することができる。
【００３３】
この下部ケース１５の上面開口部を閉じる上部ケース１６は、上方に突出した蒲鉾のようなドーム形をなしており、長手方向の一端に操作部３３が設けられ、長手方向の他端にプラグ接続部８が設けられている。操作部３３は、第１の位置と第２の位置において、予め内蔵記憶装置や外部記録媒体に記録されている音楽データや音声データを選曲或いは選択することができる第１の操作部５と、再生部に対する電源の供給をオン・オフ切り換える第２の操作部６とから構成されている。更に、上部ケース１６には、制御部により実行されている制御の内容や演奏されている音楽の曲名等を表示する表示部の一具体例を示す液晶ディスプレイ３９が設けられている。
【００３４】
第１の操作部５は、下部ケース１５に固定される固定部材３４と、この固定部材３４に回動自在に支持される操作ツマミ３５と、この操作ツマミ３５に固定される回動部材３６と、操作ツマミ３５を固定部材３４に対して所定位置に保持する捩りコイルバネ３７と、操作ツマミ３５の軸方向への移動に際してクリック感を生じさせるクリック感発生機構３８と、操作ツマミ３５の回動方向を検出する第１及び第２の検出スイッチ４０，４１と、操作ツマミ３５の軸方向への移動を検出する位置検出スイッチ４２から構成されている。
【００３５】
また、第２の操作部６は、操作ツマミ３５に固定されるカバーリング４４と、このカバーリング４４によって操作ツマミ３５から抜け止めされる操作釦４５と、この操作釦４５の中央部に固定される操作軸４６と、この操作軸４６の軸方向への移動によってオン・オフ切り換えられる電源スイッチ４７から構成されている。
【００３６】
図６〜図９に示すように、第１の操作部５の固定部材３４は、同心上に配置された内筒部３４ａ及び外筒部３４ｂと、これらと一体に形成された固定片３４ｃとからなり、固定片３４ｃを取付ネジ８５ａでネジ止めすることによって下部ケース１５に固定されている。固定部材３４の内筒部３４ａ及び外筒部３４ｂに対応して操作ツマミ３５には、同じく同心上に配置された外側筒部３５ａ及び内側筒部３５ｂが設けられている。これらの筒部３５ａ，３５ｂは、組立時において互い違いに噛み合うように径を異にして形成されており、外筒部３４ｂの外側に外側筒部３５ａが配置され、外筒部３４ｂと内筒部３４ａとの間に内側筒部３５ｂが配置されている。
【００３７】
操作ツマミ３５の内側筒部３５ｂの外周面には、軸方向に延びる複数の係合溝８５が設けられており、これらの係合溝８５には回動部材３６に設けた同数の弾性片３６ａが係合され、これによって回動部材３６が操作ツマミ３５と回転方向に一体とされている。回動部材３６は、リング体の一面側に突出された前記複数の弾性片３６ａと、他面側に突出された操作舌片３６ｂとを有している。
【００３８】
回動部材３６の操作舌片３６ｂは、第１及び第２の検出スイッチ４０，４１と、位置検出スイッチ４２をオン・オフ動作させるものである。また、回動部材３６の各弾性片３６ａは、係合溝８５に係合された状態で固定部材３４の内筒部３４ａと外筒部３４ｂとの間に介在され、外筒部３４ｂによって撓み変形が阻止されている。これにより、各弾性片３６ａの撓み変形を阻止して回動部材３６が操作ツマミ３５から脱落するのを防止している。
【００３９】
この回動部材３６のリング部と操作ツマミ３５の内側筒部３５ｂとの間に捩りコイルバネ３７のコイル部が介在されている。この捩りコイルバネ３７のバネ力によって操作ツマミ３５が中立位置に保持されている。この捩りコイルバネ３７のバネ力に抗して操作ツマミ３５が、時計方向及び反時計方向に所定角度だけ回動自在とされている。
【００４０】
また、カバーリング４４には複数の弾性片４４ａが設けられている。これら複数の弾性片４４ａを固定部材３４の外筒部３４ｂに設けた係合穴８６に係合することによってカバーリング４４が固定部材３４に一体的に固定される。このカバーリング４４で抜け止めされた操作釦４５の中心部に操作軸４６が圧入等の固着手段によって固定されている。この操作軸４６が貫通する固定部材３４の内筒部３４ａの外周面には、第１の位置を設定する周方向に延びる長溝からなる第１の凹部８７と、第２の位置を設定する周方向に延びる長溝からなる第２の凹部８８が操作軸４６の軸方向へ所定間隔あけて設けられている。
【００４１】
これら第１の凹部８７及び第２の凹部８８に見合う直径を有する鋼球９０が、第１の凹部８７又は第２の凹部８８に対向するように配置されている。鋼球９０は、六面体の一面が開口された筐体９１内に収納されている。筐体９１の、第１の凹部８７及び第２の凹部８８と対向する面には、鋼球９０の直径よりも若干小径とされた穴が開口されており、その穴から鋼球９０の一部が突出され、その突出部が第１の凹部８７及び第２の凹部８８の一方と係脱自在に係合される。
【００４２】
更に、筐体９１の内部には弾性体の一具体例を示す立方体に形成されたゴム状弾性体９２が収納されている。このゴム状弾性体９２の弾性によって鋼球９０が常時第１の凹部８７又は第２の凹部８８側に付勢されている。ゴム状弾性体９２の材質としては、ゴムであってもよく、またゴムと同様の性質を有するプラスチックを用いることができる。更に、ゴム状弾性体９２は、ゴム等に代えて、コイルバネや板バネその他の弾性体を用いることもできる。
【００４３】
このゴム状弾性体９２を保持する筐体９１は、操作ツマミ３５の内面に位置決めされて固定されている。第１の凹部８７及び第２の凹部８８が設けられた第１の位置及び第２の位置において操作ツマミ３５は、円周方向の一方である時計方向及びその反対側である反時計方向に所定角度、即ち、第１の凹部８７及び第２の凹部８８の溝の長さ分だけ回動自在とされている。更に、鋼球９０が第１の凹部８７又は第２の凹部８８と対向する位置においてのみ操作ツマミ３５は、操作軸４６の軸方向へ移動可能とされている。
【００４４】
かくして、第１の操作部５では、操作ツマミ３５を軸方向へ移動することによってケーシング側の第１の位置と、ケーシングから離間された第２の位置を選択的に取ることができる。そして、各位置において操作ツマミ３５は、それぞれ時計方向と反時計方向の２方向に所定角度だけ回動することができる。本実施例では、第１及び第２の各位置において、操作ツマミ３５を一方へ回動することによって次の音楽が選曲され、他方へ回動することによって前の音楽を再び選曲できるように構成されている。
【００４５】
また、第２の操作部６では、操作釦４５を１回押圧することによって電源がオンされ、２回押圧することによって電源がオフされる。更に、操作釦４５を再び押圧することにより、最初に戻って１回目となり、電源がオンされる構成となっている。
【００４６】
第１及び第２の検出スイッチ４０，４１には、上部ケース１６に固定される上部配線基板９４に取り付けられている。即ち、第１及び第２の検出スイッチ４０，４１は、回動部材３６の操作舌片３６ｂの回動方向両側に分散されて配置されている。そして、電源スイッチ４７は、操作軸４６の端面に対向するように配置されている。
【００４７】
一方、位置検出スイッチ４２は、下部ケース１５内に収納される基板アセンブリ２の配線基板１２に固定されている。この位置検出スイッチ４２は、操作釦４５の押圧操作に基づく操作軸４６の進退動作によってオン・オフされる。
【００４８】
また、プラグ接続部８は、上部ケース１６の内側に固定される固定部材５０と、この固定部材５０に固定されると共にプラグ７の端子部が挿入される中央穴を有する端面カバー５１と、固定部材５０に回動自在に保持されるツマミ部材５２と、このツマミ部材５２を中立位置に保持する捩りコイルバネ５３と、ツマミ部材５２に固定される操作リング５４と、この操作リング５４によってオン・オフ制御される高音側及び低音側のボリュームスイッチ５５，５６と、固定部材５０に設けられたソケット部５７とから構成されている。
【００４９】
このプラグ接続部８に着脱自在に装着されるプラグ７は、ソケット部５７と電気的に接続される端子部６０と、この端子部６０の基部に設けられた把持部６１とからなり、コードによってレシーバ等に接続されている。プラグ７の把持部６１には、絶縁材料で形成されたスリーブ６２が装着され、このスリーブ６２にプラグカバー６３が装着されている。
【００５０】
このプラグ接続部８が取り付けられる上部ケース１６と下部ケース１５との間にはホールドバンパー９が、その接続面が展開される方向にスライド可能に取り付けられている。このホールドバンパー９は、第１の操作部５の第２の位置における再生状態をホールドすることを主な役割とするもので、操作部３３からプラグ接続部８までの全てを囲うことができる大きさの枠体として形成されている。
【００５１】
このような構成を有する携帯型オーディオプレーヤ１は、例えば、次のようにして使用して音楽や音声等の情報を再生することができる。図１〜図４は、携帯型オーディオプレーヤ１の外観形状を示すもので、操作部３３の第２の操作部６を押圧操作することによって再生動作が開始される。このときに再生される音楽等の再生情報は、プラグ接続部８に接続されるイヤホーンによって聞くことができる。
【００５２】
まず、第２の操作部６の操作釦４５を押圧すると、これと一体の操作軸４６が軸方向へ移動することによって電源スイッチ４７がオンとされ、制御部による制御を介して再生部が再生動作を開始する。このとき、第１の操作部５の操作ツマミ３５が第１の位置にあるものとすると、図１４に示す第１の位置に対応された第１の動作モードが選択され、通常の再生動作が実行される。
【００５３】
この通常の再生動作は、予め記憶装置（内蔵記憶装置でもよく、外部記憶装置でもよい。）に記憶された情報の記録順序に従って情報の再生を行うものである。例えば、再生動作が１曲面から開始されるものとすると、まず、ポップス１が再生される。このとき、操作ツマミ３５を、第１の方向（例えば、時計方向）に回動すると、操作ツマミ３５と一体に回動される回動部材３６の操作舌片３６ｂが第１の検出スイッチ４０をオンさせる。その結果、制御部の制御を介して再生部が１曲を先送りし、２曲目の演歌１が再生動作される。更に、操作ツマミ３５を第１の方向に回動することにより、同様に第１の検出スイッチ４０がオンされて、次の３曲目のクラシック１が再生動作される。
【００５４】
また、例えば、３曲目の演奏時に、操作ツマミ３５を、第１の方向とは逆の第２の方向（例えば、反時計方向）に回動すると、操作ツマミ３５と一体に回動される回動部材３６の操作舌片３６ｂが第２の検出スイッチ４１をオンさせる。その結果、制御部の制御を介して再生部が１曲を後戻りさせ、２曲目の演歌１が再び再生動作されることになる。
【００５５】
一方、操作ツマミ３５を第１の位置から第２の位置に移動すると、図１４に示す第２の位置に対応された第２の動作モードが選択され、一定のグループ毎に分類されたグループ別による再生動作が実行される。
【００５６】
このグループ別の再生動作は、予め記憶装置（内蔵記憶装置でもよく、外部記憶装置でもよい。）に記憶された情報を一定のグループ毎に分類し、そのグループ内において逐次的に次の音楽を再生するように構成したものである。本実施例では、音楽の種類に応じて、「ポップス」のグループと「演歌」のグループと「クラシック」のグループとにグループ分けするように構成されている。
【００５７】
このグループ別の再生動作では、例えば、次のようにして音楽の再生が行われる。いま、グループ１のポップスが選択されているものとすると、記録順序の前後に係らずポップスのみが選択され、そのポップスの記録順序に従って情報の再生動作が行われる。これ以後の再生動作は、通常の再生動作で述べたものと同様であり、操作ツマミ３５を第１の方向に回動させると１曲先送りされ、これとは逆に操作ツマミ３５を第２の方向に回動させると１曲後戻りされることになる。
【００５８】
本発明は、前述しかつ図面に示した実施の形態に限定されるものではなく、その要旨を逸脱しない範囲内で種々の変形実施が可能である。前記実施例では、音楽の種類に応じてグループ分けした例について説明したが、例えば、講演話と音楽と童話とに分類する等、その他の種類に応じてグループ分けできることは勿論である。また、本願発明は、情報の再生のみならず、情報記録媒体に情報を記録する記録装置にも適用することができる。
【図面の簡単な説明】
【００５９】
【図１】本発明の記録及び／又は再生装置の一実施例を示すもので、携帯型オーディオプレーヤを示す斜視図である。
【図２】図１に示す携帯型オーディオプレーヤの正面図である。
【図３】図１に示す携帯型オーディオプレーヤの右側面図である。
【図４】図１に示す携帯型オーディオプレーヤの平面図である。
【図５】図１に示す携帯型オーディオプレーヤの分解斜視図である。
【図６】図５に示す携帯型オーディオプレーヤの要部を拡大して示す説明図である。
【図７】図６に示す固定部材、操作ツマミ及び操作釦を図６の逆側から見た斜視図である。
【図８】図６に示す固定部材、操作ツマミ及び操作釦の縦断面図である。
【図９】図１に示す携帯型オーディオプレーヤの操作部の縦断面図である。
【図１０】図１に示す携帯型オーディオプレーヤの第１の操作部が第１の位置にある状態を示す説明図である。
【図１１】図１０に示す操作部を図９とは逆側の角度から見た説明図である。
【図１２】図１に示す携帯型オーディオプレーヤの第１の操作部が第２の位置にある状態を示す説明図である。
【図１３】図１２に示す操作部を図９とは逆側の角度から見た説明図である。
【図１４】図１に示す携帯型オーディオプレーヤの第１の操作部の第１の位置と第２の位置の作用を説明する説明図である。
【符号の説明】
【００６０】
１…携帯型オーディオプレーヤ（記録及び／又は再生装置）、 ２…基板アセンブリ、 ４…ケーシング、 ５…第１の操作部、 ６…第２の操作部、 １１…シャーシ、 １２…配線基板、 １５…下部ケース、 １６…上部ケース、 ３５…操作ツマミ、 ３６…回動部材、 ３７…捩りコイルバネ、 ３８…クリック感発生機構、 ４０…第１の検出スイッチ、 ４１…第２の検出スイッチ、 ４２…位置検出スイッチ、 ４５…操作釦、 ４６…操作軸、 ４７…電源スイッチ
【図１】
2006134890.tif 000003
【図２】
2006134890.tif 000004
【図３】
2006134890.tif 000005
【図４】
2006134890.tif 000006
【図５】
2006134890.tif 000007
【図６】
2006134890.tif 000008
【図７】
2006134890.tif 000009
【図８】
2006134890.tif 000010
【図９】
2006134890.tif 000011
【図１０】
2006134890.tif 000012
【図１１】
2006134890.tif 000013
【図１２】
2006134890.tif 000014
【図１３】
2006134890.tif 000015
【図１４】
2006134890.tif 000016